(57)【要約】【課題】ホールで待機する利用者の待機時間が極端に長くなることを有効に防止して、エレベータの利便性を向上させることができるエレベータ運転制御装置及びエレベータ運転制御方法を提供する。【解決手段】ホール呼びが登録された順番を記憶しておくとともに、ホール呼びが入力された階床に乗りかごが着床せずに通過した場合にその階床を通過階として記憶しておく。そして、前の周回において通過階が発生した場合には、次の周回において、通過階となった階床のうちでホール呼びの登録順序が最も早い階床を、乗りかごを最初に着床させる階床として決定する。【選択図】図２
2011131997.tif 000002
【特許請求の範囲】
【請求項１】
エレベータの利用者がホール呼びボタンを操作することで入力されるホール呼び及びかご呼びボタンを操作することで入力されるかご呼びを登録する呼び登録手段と、
前記ホール呼びの登録順序を記憶するホール呼び登録順序記憶手段と、
登録された前記ホール呼び及び前記かご呼びと、乗りかごの現在位置及び移動方向と、前記乗りかご内の利用者収容状況とに基づいて、前記乗りかごを次に着床させる階床を決定する応答階床決定手段と、
前記乗りかごを前記応答階床決定手段により決定された階床に移動させるための制御指令を出力する制御指令出力手段と、
前記ホール呼びが入力された階床に前記乗りかごが着床せずに通過した場合に、通過階が発生したこと及び通過階となった階床を記憶する通過階記憶手段と、を備え、
前記応答階床決定手段は、前の周回において前記通過階が発生した場合は、次の周回において、前記通過階となった階床のうちで前記ホール呼びの登録順序が最も早い階床を、前記乗りかごを最初に着床させる階床として決定することを特徴とするエレベータ運転制御装置。
【請求項２】
前記乗りかごが満員状態であるか否かを判定する満員判定手段をさらに備え、
前記応答階床決定手段は、前記乗りかごが満員状態と判定された場合に、前記乗りかごの移動方向前方側の階床であって前記かご呼びの行き先階として指定された階床のうちで前記乗りかごの現在位置に最も近い階床を、前記乗りかごを次に着床させる階床として決定し、前の周回において前記乗りかごが満員状態となったことにより前記ホール呼びが入力された階床を前記通過階とした場合は、次の周回において、前記通過階となった階床のうちで前記ホール呼びの登録順序が最も早い階床を、前記乗りかごを最初に着床させる階床として決定することを特徴とする請求項１に記載のエレベータ運転制御装置。
【請求項３】
前記乗りかごの積載荷重を検知する荷重検知手段をさらに備え、
前記満員判定手段は、前記乗りかごの積載過重に基づいて前記乗りかごが満員状態であるか否かを判定することを特徴とする請求項２に記載のエレベータ運転制御装置。
【請求項４】
前記乗りかご内の空きスペースを検知する空きスペース検知手段をさらに備え、
前記満員判定手段は、前記乗りかごの積載荷重と空きスペースの有無とに基づいて前記乗りかごが満員状態であるか否かを判定することを特徴とする請求項３に記載のエレベータ運転制御装置。
【請求項５】
前記ホール呼びが入力された階床で待機する利用者の人数を予測する待機人数予測手段をさらに備え、
前記応答階床決定手段は、前記乗りかごの移動方向前方側の階床であって前記乗りかごの移動方向と同一方向のホール呼びが入力された階床のうちで前記乗りかごの現在位置に最も近い階床を、前記乗りかごを次に着床させる階床とした場合に、当該階床で待機する利用者が前記乗りかごに乗り込むことにより前記乗りかごが満員状態となることが予測され、且つ、当該階床よりも前記ホール呼びの登録順序が早い他の階床が存在する場合は、当該階床を前記通過階とし、前の周回において前記乗りかごが満員状態となると予測されたことにより前記ホール呼びが入力された階床を前記通過階とした場合は、次の周回において、前記通過階となった階床のうちで前記ホール呼びの登録順序が最も早い階床を、前記乗りかごを最初に着床させる階床として決定することを特徴とする請求項１に記載のエレベータ運転制御装置。
【請求項６】
前記待機人数予測手段は、前記ホール呼びが登録されたときからの経過時間に基づいて、前記ホール呼びが入力された階床で待機する利用者の人数を予測することを特徴とする請求項５に記載のエレベータ運転制御装置。
【請求項７】
前記ホール呼びボタンは、行き先階を指定するための複数のボタンを組み合わせて構成されており、
前記待機人数予測手段は、前記ホール呼びボタンの操作回数を集計することで、前記ホール呼びが入力された階床で待機する利用者の人数を予測することを特徴とする請求項５に記載のエレベータ運転制御装置。
【請求項８】
エレベータの利用者がホール呼びボタンを操作することで入力されるホール呼び及びかご呼びボタンを操作することで入力されるかご呼びを登録するステップと、
前記ホール呼びの登録順序を記憶するステップと、
登録した前記ホール呼び及び前記かご呼びと、乗りかごの現在位置及び移動方向と、前記乗りかご内の利用者収容状況とに基づいて、前記乗りかごを次に着床させる階床を決定するステップと、
次に着床させる階床として決定した階床に前記乗りかごを移動させるための制御指令を出力するステップと、
前記ホール呼びが入力された階床に前記乗りかごが着床せずに通過した場合に、通過階が発生したこと及び通過階となった階床を記憶するステップと、を備え、
前記乗りかごを次に着床させる階床を決定するステップでは、前の周回において前記通過階が発生した場合は、次の周回において、前記通過階となった階床のうちで前記ホール呼びの登録順序が最も早い階床を、前記乗りかごを最初に着床させる階床として決定することを特徴とするエレベータ運転制御方法。
【発明の詳細な説明】
【技術分野】
【０００１】
本発明は、エレベータ運転制御装置及びエレベータ運転制御方法に関し、特に、ホールでの利用者の待機時間を低減させる技術に関するものである。
【背景技術】
【０００２】
従来、エレベータの運転方式としては、セレクティブコレクティブ（以下、セレコレと略称する。）と呼ばれる運転方式が広く採用されている。セレコレは、乗りかごの移動方向前方側の呼びに対して、乗りかごの現在位置から近い順に順次応答し、同一方向の呼びに全て応答すると乗りかごの移動方向を反転させて、反対方向の呼びに順次応答していく運転方式である。
【０００３】
また、乗りかごに荷重検出器を設けて乗りかごの積載荷重を監視し、積載荷重が所定値を超えると乗りかごが満員状態となったと判定して、乗りかご内の利用者が降りることで満員状態が解消されるまで、乗りかごの移動方向前方側に同一方向のホール呼びが入力された階床があっても、その階床を通過させることで無駄な停止による時間的なロスを低減させる技術が広く知られている。
【０００４】
運転方式としてセレコレを採用しているエレベータにおいて、以上のような乗りかご満員時にホール呼びが入力された階床を通過させる技術を適用した場合の問題点として、ホールで待機する利用者の待機時間が極端に長くなってしまう場合があることが指摘されている。
【０００５】
具体的な例を挙げて説明すると、例えば、上方向のホール呼びを行った利用者が２階と３階でそれぞれ待機しており、乗りかごが１階から上昇運転をしようとしているシーンにおいて、３階の利用者が２階の利用者よりも先にホール呼びを行っており、ホール呼びの登録順序としては２階よりも３階のほうが早いとする。この場合、乗りかごはセレコレの運転方式に従ってまず２階に着床するが、２階で乗りかご内に多数の利用者が乗り込んだ結果、乗りかごが満員状態となると、かご呼びの行き先階として３階が指定されていない限り、２階よりも３階のほうが先にホール呼び登録されているにも関わらず、乗りかごは３階を通過してしまうことになる。
【０００６】
その後、かご呼びへの応答により乗りかごの満員状態が解消されると、乗りかごは上方向のホール呼びやかご呼びに順次応答し、上方向のホール呼びやかご呼びへの応答が全て終了すると下降運転に切り替わり、下方向のホール呼びやかご呼びに順次応答していく。そして、下方向のホール呼びやかご呼びへの応答が全て終了すると、再度、上昇運転に切り替わる。このとき、新たに２階で利用者による上方向のホール呼びが行われていると、乗りかごはまず２階に着床し、２階で待機している利用者を先に乗りかごに乗り込ませる。ここで、前記と同様に、２階で乗りかご内に多数の利用者が乗り込んだ結果、乗りかごが満員状態となると、かご呼びの行き先階として３階が指定されていない限り、乗りかごは再び３階を通過してしまうことになり、３階で待機している利用者の待機時間は極端に長くなってしまう。
【０００７】
ホールで待機する利用者の待機時間を低減させる技術としては、特許文献１に記載された技術が知られている。この特許文献１に記載の技術では、利用者のホールでの待ち時間を計測して、所定時間以上ホールで待機している利用者がいる場合には、当該利用者が待機している階床に乗りかごが到着するまでの間、満員判定のための閾値を下げることで乗りかご内のスペースを確保し、待機時間が長くなっている利用者を乗りかご内に確実に乗り込ませるようにしている。
【先行技術文献】
【特許文献】
【０００８】
【特許文献１】特開２００５−３３００６２号公報
【発明の概要】
【発明が解決しようとする課題】
【０００９】
しかしながら、特許文献１に記載の技術では、ホールで待機する利用者の待機時間が所定時間以上となった段階で満員判定の閾値を下げることによって、当該利用者が乗りかご内に確実に乗り込めるようにしているため、当該利用者がいる階床よりも乗りかごの現在位置に近い階床でのホール呼びの状況や、乗りかご内の空きスペースの状態によっては、当該利用者がいる階床に乗りかごが到着するまでの間にさらに時間がかかり、当該利用者の待機時間がさらに長くなることが懸念される。すなわち、所定時間以上待機している利用者がいる階床よりも乗りかごの現在位置に近い多数の階床で同一方向のホール呼びがあり、乗りかご内に多数の利用者が乗り込めるだけの十分なスペースが確保されている場合には、乗りかごは満員状態とは判定されず、乗りかごの現在位置に近い多数の階床でのホール呼びに順次応答した後に、所定時間以上待機している利用者がいる階床に到着することになる。このため、すでに所定時間以上待機している利用者は、乗りかごが到着するまでさらに長時間待機しなければならない場合があり、利用者の待機時間が極端に長くなってしまう懸念がある。
【００１０】
本発明は、上記に鑑みてなされたものであって、ホールで待機する利用者の待機時間が極端に長くなることを有効に防止して、エレベータの利便性を向上させることができるエレベータ運転制御装置及びエレベータ運転制御方法を提供することを目的とする。
【課題を解決するための手段】
【００１１】
上記目的を達成するために、本発明にかかるエレベータ運転制御装置は、エレベータの利用者がホール呼びボタンを操作することで入力されるホール呼び及びかご呼びボタンを操作することで入力されるかご呼びを登録する呼び登録手段と、前記ホール呼びの登録順序を記憶するホール呼び登録順序記憶手段と、登録された前記ホール呼び及び前記かご呼びと、乗りかごの現在位置及び移動方向と、前記乗りかご内の利用者収容状況とに基づいて、前記乗りかごを次に着床させる階床を決定する応答階床決定手段と、前記乗りかごを前記応答階床決定手段により決定された階床に移動させるための制御指令を出力する制御指令出力手段と、前記ホール呼びが入力された階床に前記乗りかごが着床せずに通過した場合に、通過階が発生したこと及び通過階となった階床を記憶する通過階記憶手段と、を備え、前記応答階床決定手段は、前の周回において前記通過階が発生した場合は、次の周回において、前記通過階となった階床のうちで前記ホール呼びの登録順序が最も早い階床を、前記乗りかごを最初に着床させる階床として決定することを特徴とする。
【００１２】
また、上記目的を達成するために、本発明にかかるエレベータ運転制御方法は、エレベータの利用者がホール呼びボタンを操作することで入力されるホール呼び及びかご呼びボタンを操作することで入力されるかご呼びを登録するステップと、前記ホール呼びの登録順序を記憶するステップと、登録した前記ホール呼び及び前記かご呼びと、乗りかごの現在位置及び移動方向と、前記乗りかご内の利用者収容状況とに基づいて、前記乗りかごを次に着床させる階床を決定するステップと、次に着床させる階床として決定した階床に前記乗りかごを移動させるための制御指令を出力するステップと、前記ホール呼びが入力された階床に前記乗りかごが着床せずに通過した場合に、通過階が発生したこと及び通過階となった階床を記憶するステップと、を備え、前記乗りかごを次に着床させる階床を決定するステップでは、前の周回において前記通過階が発生した場合は、次の周回において、前記通過階となった階床のうちで前記ホール呼びの登録順序が最も早い階床を、前記乗りかごを最初に着床させる階床として決定することを特徴とする。
【発明の効果】
【００１３】
本発明によれば、ホールで待機する利用者の待機時間が極端に長くなることを有効に防止することができ、エレベータの利便性を向上させることができるという効果を奏する。
【図面の簡単な説明】
【００１４】
【図１】エレベータの概略構成図。
【図２】第１の実施の形態にかかるエレベータ運転制御装置の機能構成を示すブロック図。
【図３】第１の実施の形態にかかるエレベータ運転制御装置による処理の概要を示すフローチャート。
【図４】応答階床決定部が１つの周回における２回目以降の応答階床を決定する際に実行する処理の詳細を示すフローチャート。
【図５】応答階床決定部が１つの周回における最初の応答階床を決定する際に実行する処理の詳細を示すフローチャート。
【図６】第１の実施の形態の変形例を説明する図。
【図７】第２の実施の形態にかかるエレベータ運転制御装置の機能構成を示すブロック図。
【図８】応答階床決定部が１つの周回における２回目以降の応答階床を決定する際に実行する処理の詳細を示すフローチャート。
【図９】第２の実施の形態の変形例を説明する図。
【発明を実施するための形態】
【００１５】
以下に添付図面を参照して、この発明にかかるエレベータ運転制御装置及びエレベータ運転制御方法の最良な実施の形態を詳細に説明する。なお、以下の実施の形態は本発明の一適用例を例示的に示したものであり、この実施の形態によりこの発明が限定されるものではない。また、以下に示す実施の形態の構成要素は、当業者が容易に置換可能なもの或いは実質的に同一のものに適宜変更することができる。
【００１６】
（第１の実施の形態）
図１は、本発明が適用されるエレベータの一例を示す概略構成図である。図１に示すエレベータは、建物の１階から５階の間で乗りかご１を昇降させて利用者を搬送するものであり、乗りかご１とつり合おもり２とをメインロープ３で連結し、電動機Ｍに連結された駆動綱車４およびそらせ車５にメインロープ３を架け渡して、電動機Ｍにより回転駆動される駆動綱車４とメインロープ３との間の摩擦力を利用して乗りかご１を昇降路６内で昇降させる、いわゆるトラクション方式のエレベータである。
【００１７】
建物の１階から５階の各階床の乗り場（ホール）Ｈ１〜Ｈ５には、ホール呼びボタン７ａ〜７ｅがそれぞれ設置されている。これらホール呼びボタン７ａ〜７ｅは、各階床のホールで利用者が方向を指定したホール呼びを行うために操作するボタンである。したがって、建物の最下階となる１階のホールＨ１に設置されるホール呼びボタン７ａは、利用者の行き先の方向が上方向のみとなるため上方向のホール呼びを行うボタンのみで構成され、建物の最上階となる５階のホールＨ５に設置されるホール呼びボタン７ｅは、利用者の行き先の方向が下方向のみとなるため下方向のホール呼びを行うボタンのみで構成される。また、中間階となる２階から４階のホールＨ２〜Ｈ４に設置されるホール呼びボタン７ｂ〜７ｄは、上方向のホール呼びを行うためのボタンと、下方向のホール呼びを行うためのボタンとを組み合わせて構成される。
【００１８】
乗りかご１の内部には、乗りかご１内に乗り込んだ利用者がかご呼びを行うために操作するかご呼びボタン８が設置されている。かご呼びボタン８は、乗りかご１内に乗り込んだ利用者が行き先階を指定したかご呼びを行えるようにするために、１階から５階の各階床に対応したボタンを組み合わせて構成される。また、乗りかご１には、乗りかご１の積載荷重を検知する荷重センサ９と、乗りかご１の現在位置を検出する位置検出器１０とが設置されている。位置検出器１０は、例えば、図示しないガイドレールに沿って転動するローラの回転に応じてエンコーダから出力されるパルスをもとに乗りかご１の位置を検出する検出器など、乗りかご１の位置を検出する検出器として公知のものをいずれも利用可能である。
【００１９】
乗りかご１が昇降する昇降路６の上部には、機械室１１が設けられている。この機械室１１内には、上記の電動機Ｍや駆動綱車４、そらせ車５などとともにエレベータ制御盤１２が設置されている。エレベータ制御盤１２は、エレベータ全体の動作を統括的に制御するものであり、上述したホール呼びボタン７ａ〜７ｅやかご呼びボタン８、荷重センサ９、位置検出器１０は、このエレベータ制御盤１２に接続されている。本実施の形態にかかるエレベータ運転制御装置は、このエレベータ制御盤１２の一機能として実現される。
【００２０】
図２は、本実施の形態にかかるエレベータ運転制御装置１００の機能構成を示すブロック図である。本実施の形態にかかるエレベータ運転制御装置１００は、図２に示すように、ホール呼びボタン制御部１０１、かご呼びボタン制御部１０２、呼び登録部１０３、ホール呼び登録順序記憶部１０４、満員状態判定部１０５、かご位置・方向認識部１０６、応答階床決定部１０７、制御指令出力部１０８、通過階記憶部１０９の各機能構成を備える。これらの機能構成は、例えば、エレベータ制御盤１２のプログラムＲＯＭなどに格納されたプログラムが演算装置（ＣＰＵ）によって読み出され、エレベータ制御盤１２のメインメモリ上にロードされることによって実現される。
【００２１】
ホール呼びボタン制御部１０１は、利用者によりホール呼びボタン７ａ〜７ｅのいずれかが操作されたときに、操作されたホール呼びボタンに対応するホール呼びを受け付けて呼び登録部１０３に出力するとともに、操作されたホール呼びボタンを点灯させることで、ホール呼びが登録されたことを利用者に報知する制御を行う。また、ホール呼びボタン制御部１０１は、ホール呼びへの応答により乗りかご１がホール呼びのあった階床に着床した場合には、操作された当該階床のホール呼びボタンを消灯させる制御を行う。
【００２２】
かご呼びボタン制御部１０２は、乗りかご１内に乗り込んだ利用者によりかご呼びボタン８が操作されたときに、かご呼びを受け付けて呼び登録部１０３に出力するとともに、かご呼びボタン８を点灯させることで、かご呼びが登録されたことを利用者に報知する制御を行う。また、かご呼びボタン制御部１０２は、かご呼びへの応答により乗りかご１がかご呼びで指定された階床に着床した場合には、かご呼びボタン８を消灯させる制御を行う。
【００２３】
呼び登録部１０３は、ホール呼びボタン制御部１０１から利用者のボタン操作に応じたホール呼びが入力されるたびに、このホール呼びを登録するとともに、かご呼びボタン制御部１０２から利用者のボタン操作に応じたかご呼びが入力されるたびに、このかご呼びを登録する。ここで、ホール呼びやかご呼びの登録とは、ホール呼びであればホール呼びのあった階床と呼びの方向、かご呼びであれば指定された行き先階をそれぞれ記憶する処理をいう。また、呼びへの応答とは、ホール呼びのあった階床やかご呼びで指定された行き先階に乗りかご１を着床させることをいう。呼び登録部１０３により登録されたホール呼び及びかご呼びは、呼びに対して応答が行われた時点で消去される。
【００２４】
ホール呼び登録順序記憶部１０４は、呼び登録部１０３に登録されたホール呼びの登録順序、つまり、未応答の状態にあるホール呼びが入力された順番を記憶する。
【００２５】
満員状態判定部１０５は、荷重センサ９により検出される乗りかご１の積載荷重を、乗りかご１の許容積載荷重に基づいて予め定められた閾値と比較し、乗りかご１の積載荷重が閾値を超えたか否かにより、乗りかご１が満員状態であるか否かを判定する。
【００２６】
かご位置・方向認識部１０６は、位置検出器１０からの出力に基づいて、乗りかご１が現在、建物の１階から５階のいずれの階床に着床しているかを認識するとともに、直前の着床階床と現在の着床階床との位置関係および未応答の呼びの有無に基づいて、乗りかご１の移動方向を認識する。
【００２７】
応答階床決定部１０７は、呼び登録部１０３に登録されている未応答のホール呼び及びかご呼びと、かご位置・方向認識部１０６により認識された乗りかご１の現在位置及び移動方向と、満員状態判定部１０５による判定結果（乗りかご１が満員状態となっているか否か）とに基づいて、乗りかご１を次に着床させる階床（以下、応答階床という。）を決定する。具体的には、応答階床決定部１０７は、乗りかご１が満員状態ではない場合には、呼び登録部１０３に登録されている未応答のホール呼び及びかご呼びを確認し、乗りかご１の現在位置よりも移動方向前方側の階床であって、且つ、乗りかご１の移動方向と同一方向のホール呼びが入力された階床、或いは、かご呼びの行き先階として指定された階床のうち、乗りかご１の現在位置に最も近い階床を応答階床として決定する。なお、乗りかご１の移動方向前方側の階床とは、乗りかご１が上昇運転をしている場合は現在位置よりも上の階床であり、乗りかご１が下降運転をしている場合には現在位置よりも下の階床である。また、応答階床決定部１０７は、乗りかご１が満員状態となっている場合には、呼び登録部１０３に登録されている未応答のかご呼びを確認し、乗りかご１の現在位置よりも移動方向前方側の階床であって、かご呼びの行き先階として指定された階床のうちで乗りかご１の現在位置に最も近い階床を応答階床として決定する。
【００２８】
乗りかご１が満員状態となっている場合には、ホール呼びが入力された階床に乗りかご１を着床させても、ホールで待機する利用者を乗りかご１に乗り込ませることはできず、無駄な停止による時間的なロスが発生してしまう。そこで、応答階床決定部１０７は、乗りかご１が満員状態となっている場合には、かご呼びへの応答を優先的に行って乗りかご１の満員状態を解消させるべく、未応答のかご呼びの行き先階として指定された階床のうち、乗りかご１の現在位置に最も近い階床を応答階床として決定するようにしている。
【００２９】
このとき、応答階床として決定された階床よりも乗りかご１の現在位置に近い階床で乗りかご１の移動方向と同一方向のホール呼びが入力されており、このホール呼びが未応答のホール呼びとして呼び登録部１０３に登録されている場合、当該階床には乗りかご１が着床せずに、ホール呼びに未応答のまま通過することになる。乗りかご１が通過した階床での未応答のホール呼びに対しては、次の周回において応答することになるが、前の周回で通過した階床に次の周回において到達するまでの間に乗りかご１が再度満員状態となると、次の周回においても当該階床でのホール呼びに応答できずに、乗りかご１が当該階床を再度通過することになる。その結果、当該階床にてホール呼びを行った利用者の待機時間が極端に長くなってしまい、エレベータの利便性を著しく低下させる要因となる。
【００３０】
そこで、応答階床決定部１０７は、前の周回において未応答のホール呼びに応答せずに乗りかご１が通過した階床（以下、通過階という。）が発生した場合には、次の周回において、通過階となった階床のうちで、ホール呼びの登録順序が最も早い階床を、乗りかご１を最初に着床させる階床（最初の応答階床）として決定するようにしている。具体的には、応答階床決定部１０７は、ある周回において通過階が発生した場合、通過階が発生した旨の情報と通過階となった階床の階床番号とを、通過階記憶部１０９に記憶させておく。そして、応答階床決定部１０７は、次の周回において最初の応答階床を決定するときに、通過階記憶部１０９に記憶されている情報を確認して前の周回で通過階が発生しているか否かを判断し、前の周回で通過階が発生している場合には、その通過階を最初の応答階床として決定する。このとき、前の周回で複数の通過階が発生している場合には、応答階床決定部１０７は、ホール呼び登録順序記憶部１０４に記憶されている情報を確認してこれら複数の通過階でのホール呼びの登録順序を判断し、複数の通過階のうちで最も登録順序が早い階床を最初の応答階床として決定する。なお、エレベータの周回とは、乗りかご１の上昇と下降とを組み合わせた運転サイクルの１単位をいい、例えば、乗りかご１が上昇した後に運転方向を切替えて下降し、その後、運転方向が再度上昇に切り替わるまでの間の期間をいう。
【００３１】
制御指令出力部１０８は、応答階床決定部１０７により決定された応答階床に乗りかご１を移動させるための制御指令を出力する。具体的には、制御指令出力部１０８は、応答階床決定部１０７によって応答階床が決定されたときに、乗りかご１の現在位置から応答階床までの距離に応じて、乗りかご１の加速度及び減速度と乗りかご１の最高速度とを決定する。そして、これら乗りかご１の加速度、減速度、最高速度と移動距離から定まる移動パターンを求め、この移動パターンに従って乗りかご１が現在位置から応答階床へと移動するように、電動機Ｍに対して制御指令を出力する。
【００３２】
通過階記憶部１０９は、上述したように、ホール呼びが入力された階床に乗りかご１が着床せずに通過した場合に、通過階が発生した旨の情報と通過階となった階床の階床番号とを記憶する。
【００３３】
図３は、以上のように構成されるエレベータ運転制御装置１００による一連の処理の概要を示すフローチャートである。以下、この図３のフローチャートに沿って、本実施の形態にかかるエレベータ運転制御装置１００の動作について簡単に説明する。
【００３４】
まず、呼び登録部１０３が、ホール呼びボタン制御部１０１により入力されたホール呼びや、かご呼びボタン制御部１０２により入力されたかご呼びを登録する（ステップＳ１）。この呼び登録部１０３によるホール呼びやかご呼びの登録は、利用者によってホール呼びボタン７ａ〜７ｅのいずれかが操作された場合、あるいは、乗りかご１に乗り込んだ利用者によってかご呼びボタン８が操作された場合に、随時実行される処理である。
【００３５】
次に、ホール呼び登録順序記憶部１０４が、呼び登録部１０３に登録されたホール呼びの登録順序を記憶する（ステップＳ２）。このホール呼び登録順序記憶部１０４によるホール呼び登録順序の記憶は、呼び登録部１０３によってホール呼びが登録されるたびに実行される。
【００３６】
次に、応答階床決定部１０７が、呼び登録部１０３に登録されている未応答のホール呼び及びかご呼びと、かご位置・方向認識部１０６により認識された乗りかご１の現在位置及び移動方向と、満員状態判定部１０５による判定結果（乗りかご１が満員状態となっているか否か）とに基づいて、乗りかご１を次に着床させる応答階床を決定する（ステップＳ３）。なお、この応答階床決定部１０７による処理の具体的な内容については、詳細を後述する。
【００３７】
次に、制御指令出力部１０８が、応答階床決定部１０７により決定された階床に乗りかご１を移動させるための制御指令を生成して、生成した制御指令を電動機Ｍに対して出力する（ステップＳ４）。
【００３８】
図４及び図５は、図３のステップＳ３で実行される応答階床決定部１０７による処理の詳細を示すフローチャートであり、ある周回において乗りかご１の最初の応答階床を決定する際の処理の流れを図５、２回目以降の応答階床を決定する際の処理の流れを図４にそれぞれ示している。ここで、最初の応答階床を決定する処理は、前の周回での２回目以降の応答階床を決定する処理の結果と関連性を持つため、以下では、まず、図４のフローチャートに沿って２回目以降の応答階床を決定する際の応答階床決定部１０７による処理を説明した後、図５のフローチャートに沿って最初の応答階床を決定する際の応答階床決定部１０７による処理を説明する。
【００３９】
応答階床決定部１０７は、２回目以降の応答階床を決定する際には、図４に示すように、まずステップＳ１０１において、呼び登録部１０３に登録されている未応答のホール呼び及びかご呼びを確認し、ステップＳ１０２において、かご位置・方向認識部１０６により認識された乗りかご１の現在位置及び移動方向を確認する。
【００４０】
次に、応答階床決定部１０７は、ステップＳ１０３において、満員状態判定部１０５により乗りかご１が満員状態と判定されたかどうかを確認する。そして、乗りかご１が満員状態でないと判定されている場合はステップＳ１０４に進み、乗りかご１が満員状態と判定されている場合にはステップＳ１０５に進む。
【００４１】
乗りかご１が満員状態でないと判定されてステップＳ１０４に進んだ場合、応答階床決定部１０７は、ステップＳ１０４において、ステップＳ１０１で確認した未応答のホール呼びのうち、ステップＳ１０２で確認した乗りかご１の移動方向と同じ方向のホール呼びが入力された階床と、ステップＳ１０１で確認した未応答のかご呼びの行き先階として指定されている階床とを、応答階床の候補として選択する。そして、これらの候補の中から、ステップＳ１０２で確認した乗りかご１の現在位置よりも移動方向前方側の階床であって乗りかご１の現在位置に最も近い階床を応答階床として決定する。
【００４２】
一方、乗りかご１が満員状態と判定されてステップＳ１０５に進んだ場合、応答階床決定部１０７は、ステップＳ１０５において、ステップＳ１０１で確認した未応答のかご呼びの行き先階として指定されている階床を応答階床の候補として選択し、これらの候補の中から、ステップＳ１０２で確認した乗りかご１の現在位置よりも移動方向前方側の階床であって乗りかご１の現在位置に最も近い階床を応答階床として決定する。
【００４３】
次に、応答階床決定部１０７は、ステップＳ１０６において、ステップＳ１０５で未応答のかご呼びの行き先階として指定されている階床を応答階床に決定したことによって、未応答のホール呼びが入力された階床のいずれかが、乗りかご１が着床せずに通過する通過階となったかどうかを判定する。そして、応答階床決定部１０７は、未応答のホール呼びが入力された階床のいずれかが通過階となったと判定した場合には、ステップＳ１０７において、通過階が発生した旨の情報と、通過階となった階床の階床番号とを、通過階記憶部１０９に記憶させる処理を行う。
【００４４】
以上説明した図４のフローチャートで示す処理は、１つの周回の中で通過階でのホール呼びを除く全ての呼びに対する応答が終了して次の周回へと移行するまでの間、応答階床決定部１０７によって繰り返し実行される。そして、次の周回へと移行すると、応答階床決定部１０７は、図５のフローチャートで示す処理を実行して最初の応答階床を決定し、その後は再び図４のフローチャートで示す処理を繰り返し実行する。
【００４５】
最初の応答階床を決定する際には、応答階床決定部１０７は、図５に示すように、まずステップＳ２０１において、通過階記憶部１０９に記憶されている情報を確認し、前の周回において通過階が発生しているか否かを判定する。そして、前の周回において通過階が発生していないと判定した場合はステップＳ２０２に進み、前の周回において通過階が発生していると判定した場合にはステップＳ２０５に進む。
【００４６】
前の周回において通過階が発生していないと判定してステップＳ２０２に進んだ場合、応答階床決定部１０７は、ステップＳ２０２において、呼び登録部１０３に登録されている未応答のホール呼び及びかご呼びを確認し、ステップＳ２０３において、かご位置・方向認識部１０６により認識された乗りかご１の現在位置及び移動方向を確認する。
【００４７】
次に、応答階床決定部１０７は、ステップＳ２０４において、ステップ２０２で確認した未応答のホール呼びのうち、ステップＳ２０３で確認した乗りかご１の移動方向と同じ方向のホール呼びが入力された階床と、ステップＳ２０２で確認した未応答のかご呼びの行き先階として指定されている階床とを、応答階床の候補として選択する。そして、これらの候補の中から、ステップＳ２０３で確認した乗りかご１の現在位置よりも移動方向前方側の階床であって乗りかご１の現在位置に最も近い階床を最初の応答階床として決定する。
【００４８】
一方、ステップＳ２０１で前の周回において通過階が発生していると判定してステップＳ２０５に進んだ場合、応答階床決定部１０７は、ステップＳ２０５において、前の周回において複数の通過階が発生しているか否かを確認する。そして、前の周回において発生した通過階が1つであればステップＳ２０６に進み、前の周回において複数の通過階が発生している場合にはステップＳ２０７に進む。
【００４９】
前の周回において発生した通過階が1つであると判定してステップＳ２０６に進んだ場合、応答階床決定部１０７は、ステップＳ２０６において、当該通過階を最初の応答階床として決定する。
【００５０】
一方、前の周回において複数の通過階が発生していると判定してステップＳ２０７に進んだ場合、応答階床決定部１０７は、ステップＳ２０７において、ホール呼び登録順序記憶部１０４に記憶されているホール呼びの登録順序の情報を確認し、これら複数の通過階のうちで、ホール呼びの登録順序が最も早い階床を特定する。そして、応答階床決定部１０７は、ステップＳ２０８において、ステップＳ２０７で特定したホール呼びの登録順序が最も早い階床を、最初の応答階床として決定する。
【００５１】
次に、応答階床決定部１０７は、ステップＳ２０９において、ステップＳ２０６又はステップＳ２０８で前の周回の通過階を最初の応答階床に決定したことによって新たな通過階が発生するかどうかを判定する。そして、応答階床決定部１０７は、新たな通過階が発生すると判定した場合には、ステップＳ２１０において、通過階が発生した旨の情報と、通過階となった階床の階床番号とを、通過階記憶部１０９に記憶させる処理を行う。
【００５２】
その後、制御指令出力部１０８から出力される制御指令に従って電動機Ｍが駆動制御され、乗りかご１が最初の応答階床に着床すると、応答階床決定部１０７は、その周回の中で通過階でのホール呼びを除く全ての呼びに対する応答が終了して次の周回へと移行するまでの間、図４のフローチャートで示す処理を繰り返し実行する。そして、次の周回へと移行すると、応答階床決定部１０７は、再度図５のフローチャートで示す処理を実行して、次の周回における最初の応答階床を決定する。
【００５３】
以上、具体的な例を挙げながら詳細に説明したように、本実施の形態にかかるエレベータ運転制御装置１００によれば、前の周回において乗りかご１が満員状態となったために通過階が発生した場合に、次の周回においては前の周回での通過階を最初の応答階床として決定するようにしており、特に、前の周回において複数の通過階が発生した場合には、これら複数の通過階のうちでホール呼びの登録順序が最も早い階床を次の周回の最初の応答階床として決定して、乗りかご１を優先的に着床させるようにしている。したがって、ホールで待機する利用者の待機時間が極端に長くなることを有効に防止することができ、エレベータの利便性を向上させることができる。
【００５４】
＜変形例＞
上述したエレベータ運転制御装置１００では、満員状態判定部１０５が、荷重センサ９により検出される乗りかご１の積載荷重を所定の閾値と比較することによって、乗りかご１が満員状態であるか否かを判定するようにしている。しかしながら、例えば、車椅子を使用する利用者が乗りかご１に乗り込んだ場合や、大きな荷物を持った利用者が乗りかご１に乗り込んだ場合などにおいては、乗りかご１の積載荷重が閾値未満であっても乗りかご１に新たに利用者が乗り込むスペースがない場合があり、このような場合には、乗りかご１が満員状態であると判定されることが望ましい。
【００５５】
そこで、図６に模式的に示すように、乗りかご１内の空きスペースを検知するための検知器１３を乗りかご１に設置して、この検知器１３の検知信号が満員状態判定部１０５に入力されるようにし、満員状態判定部１０５が、荷重センサ９により検出される乗りかご１の積載荷重と、検知器１３により検知される乗りかご１内の空きスペースの有無とに基づいて、乗りかご１が満員状態であるか否かを判定するようにしてもよい。ここで、乗りかご１内の空きスペースを検知するための検知器１３としては、例えばカメラや赤外線センサなど、空間を検知可能な公知のセンサを用いることができる。
【００５６】
以上のように、乗りかご1内の空きスペースを検知するための検知器１３を設け、満員状態判定部１０５が、荷重センサ９により検出される乗りかご１の積載荷重と、検知器１３により検知される乗りかご１内の空きスペースの有無とに基づいて、乗りかご１が満員状態であるか否かを判定するようにした場合には、乗りかご１の満員状態をより正確に判定することが可能となり、乗りかご１の無駄な停止による時間的なロスをさらに有効に低減させることができ、エレベータの利便性をさらに向上させることができる。
【００５７】
（第２の実施の形態）
次に、第２の実施の形態にかかるエレベータ運転制御装置について説明する。図７は、本実施の形態にかかるエレベータ運転制御装置２００の機能構成を示すブロック図である。本実施の形態にかかるエレベータ運転制御装置２００は、図７に示すように、第1の実施の形態にかかるエレベータ運転制御装置１００の構成（図２参照）に対して待機人数予測部２０１を付加した構成となっており、応答階床決定部１０７において応答階床を決定する具体的な処理の内容が、第1の実施の形態とは相違している。以下、第1の実施形態と共通する部分については重複した説明を省略し、本実施の形態に特徴的な部分についてのみ説明する。
【００５８】
待機人数予測部２０１は、ホール呼びが入力された階床で待機する利用者の人数を予測する。具体的には、待機人数予測部２０１は、例えば、ホール呼び登録時からの経過時間とホールで待機する利用者の人数との関係を記述したテーブルを用いて、実際のホール呼びからの経過時間に応じた利用者の人数を予測する。待機人数の予測に用いるテーブルは、過去のホール呼び登録時からホール呼び応答までの経過時間と、ホール呼びの応答によって乗りかご１内に乗り込んだ利用者の人数（荷重センサ９の検出値から推定）とをそれぞれの階床ごとに集計することで作成されている。待機人数予測部２０１は、ある階床でホール呼びが入力された場合に、当該ホール呼びが呼び登録部１０３に登録されてからの経過時間を計測し、当該経過時間に対応する人数をテーブルから特定して、ホール呼びが入力された階床で待機する利用者の人数を予測する。なお、待機人数の予測に用いられるテーブルは、ホール呼びへの応答が行われるたびに、その情報を用いて随時更新されることが望ましい。
【００５９】
本実施の形態にかかるエレベータ運転制御装置２００において、応答階床決定部１０７は、呼び登録部１０３に登録されている未応答のホール呼び及びかご呼びと、かご位置・方向認識部１０６により認識された乗りかご１の現在位置及び移動方向と、満員状態判定部１０５による判定結果（乗りかご１が満員状態となっているか否か）に加えて、ホール呼び登録順序記憶部１０４に記憶されている情報と、待機人数予測部２０１により予測されるホールでの利用者待機人数の情報も用いて、乗りかご１の応答階床を決定する。すなわち、応答階床決定部１０７は、乗りかご１が満員状態となっている場合には第１の実施の形態と同様に応答階床を決定するが、乗りかご１が満員状態ではない場合には、第１の実施の形態と同様に決定される応答階床がホール呼びが入力された階床であり、その階床で待機する利用者が乗りかご１に乗り込むと乗りかご１が満員状態となることが予測され、且つ、その階床よりもホール呼びの登録順序が早い他の階床が存在する場合は、その階床を前記通過階として、ホール呼びの登録順序が早い階床を優先的に応答階床として決定するようにしている。
【００６０】
図８は、本実施の形態にかかるエレベータ運転制御装置２００において、応答階床決定部１０７により実行される処理の詳細を示すフローチャートであり、１つの周回において２回目以降の応答階床を決定する際の処理を示したものである。以下、この図８のフローチャートに沿って、応答階床決定部１０７により実行される処理の流れを説明する。なお、１つの周回における最初の応答階床を決定する処理については、第１の実施の形態で説明した処理（図５参照）と同様であるため、ここでは説明を省略する。
【００６１】
応答階床決定部１０７は、まず、ステップＳ３０１において、呼び登録部１０３に登録されている未応答のホール呼び及びかご呼びを確認し、ステップＳ３０２において、かご位置・方向認識部１０６により認識された乗りかご１の現在位置及び移動方向を確認する。
【００６２】
次に、応答階床決定部１０７は、ステップＳ３０３において、満員状態判定部１０５により乗りかご１が満員状態と判定されたかどうかを確認する。そして、乗りかご１が満員状態でないと判定されている場合はステップＳ３０４に進み、乗りかご１が満員状態と判定されている場合にはステップＳ３１１に進む。
【００６３】
乗りかご１が満員状態でないと判定されてステップＳ３０４に進んだ場合、応答階床決定部１０７は、ステップＳ３０４において、乗りかご１の移動方向と同一方向の未応答のホール呼びが入力されている階床と、未応答のかご呼びの行き先階として指定されている階床のうちで、乗りかご１の現在位置よりも移動方向前方側の階床であって乗りかご１の現在位置に最も近い階床を、応答階床の候補として選択する。
【００６４】
次に、応答階床決定部１０７は、ステップＳ３０５において、ステップＳ３０４で応答階床の候補として選択した階床が、未応答のホール呼びが入力されている階床であるか、或いは、未応答のかご呼びの行き先階として指定されている階床であるかを判定する。そして、応答階床の候補として選択した階床が未応答のかご呼びの行き先階として指定される階床である場合には、ステップＳ３１０に進んで、応答階床の候補として選択した階床を応答階床として決定する。
【００６５】
一方、応答階床の候補として選択した階床が未応答のホール呼びが入力されている階床である場合には、応答階床決定部１０７は、ステップＳ３０６において、待機人数予測部２０１からの情報を用いて、応答階床の候補として選択した階床で待機する利用者が乗りかご１に乗り込むことによって、乗りかご１が満員状態になるか否かを判定する。そして、乗りかご１が満員状態にならないと判定した場合には、ステップＳ３１０に進んで、応答階床の候補として選択した階床を応答階床として決定する。
【００６６】
一方、応答階床の候補として選択した階床で利用者が乗りかご１に乗り込むと乗りかご１が満員状態になると判定した場合には、応答階床決定部１０７は、ステップＳ３０７において、ホール呼び登録順序記憶部１０４に記憶されているホール呼びの登録順序の情報を確認し、乗りかご１の移動方向前方側に、応答階床の候補として選択した階床でのホール呼びよりも登録順序の早い同一方向のホール呼びが入力されている階床があるかどうかを判定する。そして、このような階床が他になければステップＳ３１０に進み、応答階床の候補として選択した階床を応答階床として決定する。
【００６７】
一方、応答階床の候補として選択した階床でのホール呼びよりも登録順序の早いホール呼びが入力されている階床がある場合には、応答階床決定部１０７は、ステップＳ３０８において、応答階床の候補として選択した階床を通過階に決定し、ステップＳ３０９において、通過階が発生した旨の情報と、通過階となった階床の階床番号とを、通過階記憶部１０９に記憶させる処理を行う。そして、ステップＳ３０４に戻って、通過階に決定した階床を除く他の階床の中から、新たな応答階床の候補を選択する。そして、上記のステップＳ３０５以降の処理を繰り返し実行することで、ホール呼びの登録順序が早い階床が通過階とならないようにしながら、応答階床を決定する。
【００６８】
また、応答階床決定部１０７は、ステップＳ３０３で乗りかご１が満員状態と判定されてステップＳ３１１に進んだ場合、ステップＳ３１１において、ステップＳ３０１で確認した未応答のかご呼びの行き先階として指定されている階床の中から、ステップＳ３０２で確認した乗りかご１の現在位置よりも移動方向前方側の階床であって乗りかご１の現在位置に最も近い階床を応答階床として決定する。
【００６９】
次に、応答階床決定部１０７は、ステップＳ３１２において、ステップＳ３１１で未応答のかご呼びの行き先階として指定されている階床を応答階床に決定したことによって、未応答のホール呼びが入力された階床のいずれかが、乗りかご１が着床せずに通過する通過階となったかどうかを判定する。そして、応答階床決定部１０７は、未応答のホール呼びが入力された階床のいずれかが通過階となったと判定した場合には、ステップＳ３１３において、通過階が発生した旨の情報と、通過階となった階床の階床番号とを、通過階記憶部１０９に記憶させる処理を行う。
【００７０】
以上説明した図８のフローチャートで示す処理は、１つの周回の中で通過階でのホール呼びを除く全ての呼びに対する応答が終了して次の周回へと移行するまでの間、応答階床決定部１０７によって繰り返し実行される。そして、次の周回へと移行すると、応答階床決定部１０７は、第１の実施の形態で説明したように、図５のフローチャートで示した処理を実行して最初の応答階床を決定し、その後は再び図８のフローチャートで示す処理を繰り返し実行する。
【００７１】
以上、具体的な例を挙げながら詳細に説明したように、本実施の形態にかかるエレベータ運転制御装置２００によれば、第１の実施の形態にかかるエレベータ運転制御装置１００と同様に、前の周回において乗りかご１が満員状態となったために通過階が発生した場合に、次の周回においては前の周回での通過階を最初の応答階床として決定するようにしており、特に、前の周回において複数の通過階が発生した場合には、これら複数の通過階のうちでホール呼びの登録順序が最も早い階床を次の周回の最初の応答階床として決定して、乗りかご１を優先的に着床させるようにしている。したがって、ホールで待機する利用者の待機時間が極端に長くなることを有効に防止することができ、エレベータの利便性を向上させることができる。
【００７２】
また、特に本実施の形態にかかるエレベータ運転制御装置２００では、ホール呼びの登録順序が遅い階床で乗りかご１に利用者が乗り込むことにより乗りかご１が満員状態となり、その結果、ホール呼びの登録順序が早い階床が通過階となってしまうことが予測される場合には、ホール呼びの登録順序が遅い階床を通過階として、ホール呼びの登録順序が早い階床に乗りかご１を優先的に着床させるようにしているので、ホールで待機する利用者の待機時間をより平準化させることができ、エレベータの利便性をさらに向上させることができる。
【００７３】
＜変形例＞
上述したエレベータ運転制御装置２００では、待機人数予測部２０１が、ホール呼び登録時からの経過時間とホールで待機する利用者の人数との関係を記述したテーブルを用いて待機人数を予測するようにしている。しかしながら、この待機人数の予測に用いるテーブルは、過去のホール呼び登録時からホール呼び応答までの経過時間と、ホール呼びの応答によって乗りかご１内に乗り込んだ利用者の人数をそれぞれの階床ごとに集計することによって作成されているため、予測の誤差が比較的大きくなる傾向にある。
【００７４】
そこで、図９に模式的に示すように、各階床のホールに設置するホール呼びボタン７ａ〜７ｅとして、行き先階を指定するための複数のボタンを組み合わせたものを用い、待機人数予測部２０１が、それぞれの階床ごとに、ホール呼びから応答までの間のホール呼びボタン７ａ〜７ｅの操作回数を集計することによって、待機人数を予測するようにしてもよい。つまり、ホール呼びボタンとして行き先階を指定するための複数のボタンを組み合わせたものを用いた場合、先にホール呼びを行って待機している別の利用者がいる場合でも、後からホールに到着した利用者が行き先階に対応したボタンを操作することになり、ボタンの操作回数が待機人数とほぼ一致することとなる。したがって、待機人数予測部２０１は、ホール呼びボタン制御部１０１によって受け付けられた各階床におけるホール呼びボタン７ａ〜７ｅを集計することで、各階床における待機人数を正確に予測することが可能となる。
【００７５】
以上のように、ホール呼びボタン７ａ〜７ｅとして行き先階を指定するための複数のボタンを組み合わせたものを用い、待機人数予測部２０１が、ホール呼びボタン７ａ〜７ｅの操作回数を集計することで各階床における待機人数を予測するようにした場合には、各階床における待機人数を正確に予測できるので、ホール呼びの登録順序が遅い階床を通過階とするかどうかの判断をより適切に行うことが可能となり、エレベータの利便性をさらに向上させることができる。
【産業上の利用可能性】
【００７６】
以上のように、本発明にかかるエレベータ運転制御装置及びエレベータ運転制御方法は、ホールで待機する利用者の待機時間を低減させる技術として有用である。
【符号の説明】
【００７７】
１  乗りかご
７ａ〜７ｅ  ホール呼びボタン
８  かご呼びボタン
９  荷重センサ
１０  位置検出器
１２  エレベータ制御盤
１３  検知器
１００  エレベータ運転制御装置
１０３  呼び登録部
１０４  ホール呼び登録順序記憶部
１０５  満員状態判定部
１０６  かご位置・方向認識部
１０７  応答階床決定部
１０８  制御指令出力部
２００  エレベータ運転制御装置
２０１  待機人数予測部
【図１】
2011131997.tif 000003
【図２】
2011131997.tif 000004
【図３】
2011131997.tif 000005
【図４】
2011131997.tif 000006
【図５】
2011131997.tif 000007
【図６】
2011131997.tif 000008
【図７】
2011131997.tif 000009
【図８】
2011131997.tif 000010
【図９】
2011131997.tif 000011